(57)【要約】【課題】ロウ付けによって本体部へ伝わる熱の量を軽減しつつ、漏水等の液体が本体部へかかることを防ぐことができる給湯機を提供する。【解決手段】本発明に係る給湯機は、本体部、本体側配管、配管接続部及び放熱板１４０を備える。本体部は、筐体１及び筐体１の内部に設けられた部品を有する。本体側配管は、一端が本体部の内部に設けられ、他端が本体部の上面から本体部の上方へ突き出る。配管接続部は、本体側配管の他端に設けられ、本体側配管と外部配管とを接続する。本体側配管と配管接続部と外部配管とは、ロウ付けによって固定される。放熱板１４０は、筐体１と配管接続部との間で本体側配管に固定される。放熱板１４０は、筐体１から一定距離だけ離れている。放熱板１４０は、側壁部を有する。放熱板１４０は、側壁部に囲まれた貯留空間に液体を貯留することができる。【選択図】図４
2017015338.tif 000002
【特許請求の範囲】
【請求項１】
筐体及び前記筐体の内部に設けられた部品を有する本体部と、
一端が前記筐体の内部に設けられ、他端が前記筐体の上面から上方へ突き出る本体側配管と、
前記本体側配管の前記他端に設けられ、前記本体側配管と外部配管とを接続する配管接続部と、
前記筐体と前記配管接続部との間で前記本体側配管に固定され、前記筐体から一定距離だけ離れている放熱板と、
を備え、
前記放熱板は、側壁部を有し、前記側壁部に囲まれた貯留空間に液体を貯留することができる給湯機。
【請求項２】
前記放熱板は、平板部及び前記平板部に比べて板厚が厚い配管固定部を有し、
前記配管固定部は、前記本体側配管に接する請求項１に記載の給湯機。
【請求項３】
前記放熱板は、前記貯留空間に貯留された液体を前記本体部の外部へ排出する排出手段を有する請求項１または請求項２に記載の給湯機。
【請求項４】
前記側壁部は、前記貯留空間に貯留された液体を前記側壁部の外方から視認するための視認部を有する請求項１から請求項３の何れか１項に記載の給湯機。
【請求項５】
前記部品としての貯湯タンクを有する前記本体部と、
前記貯湯タンク内の水を沸き上げるための熱源機と、
を備える請求項１から請求項４の何れか１項に記載の給湯機。
【発明の詳細な説明】
【技術分野】
【０００１】
本発明は、給湯機に関する。
【背景技術】
【０００２】
給湯機の燃焼装置として、本体部の上面から上方へ向かって突き出ている本体側配管を備えるものが特許文献１に記載されている。本体側配管は、配管接続部を介して外部配管と接続される。
【先行技術文献】
【特許文献】
【０００３】
【特許文献１】特許第５６８０３９２号公報
【発明の概要】
【発明が解決しようとする課題】
【０００４】
配管接続部には、例えば銅製の継手等が用いられる。銅製の継手等の配管接続部、本体側配管及び外部配管は、ロウ付けによって固定される。ロウ付けによって配管を固定する場合、熱が生じる。ロウ付けによって生じた熱は、本体側配管で十分に放熱されず、多量の熱が本体部へ伝わるおそれがある。また、例えば配管接続部と本体側配管と外部配管とのロウ付けが不十分な場合、配管接続部で漏水が発生する可能性がある。配管接続部で発生した漏水は、本体部へかかってしまう。
【０００５】
本発明は、上記のような課題を解決するためになされた。本発明の目的は、ロウ付けによって本体部へ伝わる熱の量を軽減しつつ、漏水等の液体が本体部へかかることを防ぐことができる給湯機を提供することである。
【課題を解決するための手段】
【０００６】
本発明に係る給湯機は、筐体及び筐体の内部に設けられた部品を有する本体部と、一端が筐体の内部に設けられ、他端が筐体の上面から上方へ突き出る本体側配管と、本体側配管の他端に設けられ、本体側配管と外部配管とを接続する配管接続部と、筐体と配管接続部との間で本体側配管に固定され、筐体から一定距離だけ離れている放熱板と、を備える。放熱板は、側壁部を有し、側壁部に囲まれた貯留空間に液体を貯留することができる。
【発明の効果】
【０００７】
本発明に係る給湯機は、筐体と配管接続部との間で本体側配管に固定される放熱板を備える。放熱板は、側壁部に囲まれた貯留空間に液体を貯留することができる。このため、ロウ付けによって本体部へ伝わる熱の量を軽減することができる。また、漏水等の液体が本体部へかかることを防ぐことができる。
【図面の簡単な説明】
【０００８】
【図１】本発明の実施の形態１の貯湯式給湯機を示す概略図である。
【図２】放熱板単体の外観を示す斜視図である。
【図３】配管接続部及び外部配管を接続する前の状態の貯湯式給湯機における放熱板近傍の外観を示す斜視図である。
【図４】配管接続部及び外部配管を接続した後の状態の貯湯式給湯機における放熱板近傍の外観を示す斜視図である。
【図５】配管接続部及び外部配管を接続した後の状態の貯湯式給湯機における放熱板近傍の側面図である。
【発明を実施するための形態】
【０００９】
以下、図面を参照して、本発明の実施の形態について説明する。尚、各図において同一部分または相当部分は、同一の符号を付して、重複する説明を省略する。
【００１０】
実施の形態１．
図１は、本発明の実施の形態１の貯湯式給湯機１００の概略図である。貯湯式給湯機１００は、ヒートポンプユニット１１０及び貯湯タンクユニット１２０を備える。
【００１１】
ヒートポンプユニット１１０は、熱源機の一例である。ヒートポンプユニット１１０は、図示しない圧縮機、沸き上げ用熱交換器、膨張弁、及び蒸発器を備える。圧縮機、沸き上げ用熱交換器、膨張弁、及び蒸発器は、循環配管によって環状に接続される。圧縮機、沸き上げ用熱交換器、膨張弁、蒸発器及び循環配管は冷凍サイクル部を構成する。沸き上げ用熱交換器は放熱器の一例である。
【００１２】
圧縮機は、冷媒を圧縮して高温高圧にする。冷媒には、一例として二酸化炭素等が含まれる。高温高圧になった冷媒は、沸き上げ用熱交換器で放熱する。放熱した冷媒は、膨張弁によって減圧される。減圧した冷媒は、蒸発器で吸熱する。吸熱した冷媒は、ガス状態になる。ガス状態になった冷媒は、圧縮機に吸入される。
【００１３】
貯湯タンクユニット１２０は、筐体１及び筐体１の内部に設けられた構成部品を有する。貯湯タンクユニット１２０は本体部の一例である。本実施の形態において貯湯タンクユニット１２０は、筐体１の内部に設けられた部品の一例として、貯湯タンク２、給湯用熱交換器３及び給湯加熱用ポンプ４を有する。
【００１４】
貯湯タンク２は、上部に温水導出口２ａ及び温水導入口２ｂを有する。また貯湯タンク２は、下部に水導入口２ｃ及び水導出口２ｄを有する。貯湯タンク２内の上部には、高温の水が貯留される。貯湯タンク２内の下部には、上部に貯留された高温の水に比べて温度が低い水が貯留される。
【００１５】
温水導出口２ａには、熱交換水往き管５ａの一端が接続される。熱交換水往き管５ａの他端は、給湯用熱交換器３の一次側流入口に接続される。給湯用熱交換器３の一次側流出口には、熱交換水戻り管５ｂの一端が接続される。熱交換水戻り管５ｂの他端は、水導入口２ｃに接続される。熱交換水往き管５ａと熱交換水戻り管５ｂとは、貯湯タンク連結管５を構成する。
【００１６】
熱交換水戻り管５ｂには、給湯加熱用ポンプ４が設けられる。給湯加熱用ポンプ４は、貯湯タンク２に貯留された高温の水を給湯用熱交換器３の一次側へ供給する。
【００１７】
給湯用熱交換器３の二次側流入口には、給水管６ａの一端が接続される。給水管６ａの他端は、例えば図１に示すように、筐体１の上面から上方へ突き出る。給水管６ａは、水源からの水を給湯用熱交換器３の二次側へ供給するための配管である。水源には、一例として水道等が含まれる。
【００１８】
給湯用熱交換器３の二次側流出口には、給湯管６ｂの一端が設けられる。給湯管６ｂの他端は、例えば図１に示すように、筐体１の上面から上方へ突き出る。給湯用熱交換器３は、一次側を流れる高温の水と二次側を流れる水源からの水との間で熱交換をする。二次側を流れる水は、規定温度になるように加熱される。給湯管６ｂは、給湯用熱交換器３によって加熱された水を外部の給湯先へ供給するための配管である。給湯先には、一例として蛇口等が含まれる。
【００１９】
給水管６ａの他端には、銅継手１３０ａが設けられる。給水管６ａの他端は、銅継手１３０ａによって、給水外部配管７ａの一端と接続される。給水外部配管７ａは、外部の水源に接続される配管である。給水管６ａと給水外部配管７ａと銅継手１３０ａとは、ロウ付けによって固定される。
【００２０】
同様に、給湯管６ｂの他端には、銅継手１３０ｂが設けられる。給湯管６ｂの他端は、銅継手１３０ｂによって、給湯外部配管７ｂの一端と接続される。給湯外部配管７ｂは、外部の給湯先に接続される配管である。給湯管６ｂと給湯外部配管７ｂと銅継手１３０ｂとは、ロウ付けによって固定される。
【００２１】
給水管６ａ及び給湯管６ｂは、本体側配管の一例である。給水管６ａ及び給湯管６ｂは、給湯管路６を構成する。給湯管路６は、一部が筐体１の外部に出ている管路である。給水外部配管７ａ及び給湯外部配管７ｂは、外部配管の一例である。銅継手１３０ａ及び銅継手１３０ｂは、本体側配管と外部配管とを接続する配管接続部の一例である。
【００２２】
貯湯式給湯機１００は、給湯動作を行う機能を有する。給湯動作とは、貯湯タンク２に貯留された高温の水及び給湯用熱交換器３を使用し、給湯管路６を介して給湯先に規定温度の水を供給する動作である。
【００２３】
また本実施の形態において貯湯タンクユニット１２０は、筐体１の内部に設けられた部品の一例として、送水ポンプ８及び三方弁９を有する。三方弁９は、ａポート、ｂポート及びｃポートを有する。ａポートは、流入口である。ｂポート及びｃポートは、流出口である。
【００２４】
水導出口２ｄには、沸き上げ往き管１０の一端が接続される。沸き上げ往き管１０の他端には、往き管１１ａの一端が接続される。往き管１１ａの他端は、例えば図１に示すように、筐体１の上面から上方へ突き出る。往き管１１ａには、筐体１の内部で、送水ポンプ８が設けられる。なお送水ポンプ８は、筐体１の内部ではなく、ヒートポンプユニット１１０の内部に設けられてもよい。
【００２５】
三方弁９のａポートには、戻り管１１ｂの一端が接続される。戻り管１１ｂの他端は、例えば図１に示すように、筐体１の上面から上方へ突き出る。また三方弁９のｂポートには、沸き上げ戻り管１２の一端が接続される。沸き上げ戻り管１２の他端は、温水導入口２ｂに接続される。
【００２６】
往き管１１ａの他端には、銅継手１３０ｃが設けられる。往き管１１ａの他端は、銅継手１３０ｃによって、外部往き管１３ａの一端と接続される。往き管１１ａと外部往き管１３ａと銅継手１３０ｃとは、ロウ付けによって固定される。外部往き管１３ａの他端は、ヒートポンプユニット１１０の沸き上げ用熱交換器に接続される。
【００２７】
同様に、戻り管１１ｂの他端には、銅継手１３０ｄが設けられる。戻り管１１ｂの他端は、銅継手１３０ｄによって、外部戻り管１３ｂの一端と接続される。戻り管１１ｂと外部戻り管１３ｂと銅継手１３０ｄとは、ロウ付けによって固定される。外部戻り管１３ｂの他端は、ヒートポンプユニット１１０の沸き上げ用熱交換器に接続される。
【００２８】
往き管１１ａ及び戻り管１１ｂは、本体側配管の一例である。往き管１１ａ及び戻り管１１ｂは、加熱用循環管路１１を構成する。加熱用循環管路１１は、一部が筐体１の外部へ出ている管路である。外部往き管１３ａ及び外部戻り管１３ｂは、外部配管の一例である。銅継手１３０ｃ及び銅継手１３０ｄは、本体側配管と外部配管とを接続する配管接続部の一例である。
【００２９】
また三方弁９のｃポートには、暖房往き管１４ａの一端が接続される。暖房往き管１４ａの他端は、例えば図１に示すように、筐体１の上面から上方へ突き出る。また沸き上げ往き管１０と往き管１１ａとの接続部には、暖房戻り管１４ｂの一端が接続される。暖房戻り管１４ｂの他端は、例えば図１に示すように、筐体１の上面から上方へ突き出る。暖房戻り管１４ｂには、筐体１の内部で、ストレーナー１５が設けられる。
【００３０】
暖房往き管１４ａの他端には、銅継手１３０ｅが設けられる。暖房往き管１４ａの他端は、銅継手１３０ｅによって、外部暖房往き管１６ａの一端と接続される。暖房往き管１４ａと外部暖房往き管１６ａと銅継手１３０ｅとは、ロウ付けによって固定される。外部暖房往き管１６ａは、各部屋へ接続される配管である。各部屋には、一例として居室等が含まれる。
【００３１】
同様に、暖房戻り管１４ｂの他端には、銅継手１３０ｆが設けられる。暖房戻り管１４ｂの他端は、銅継手１３０ｆによって、外部暖房戻り管１６ｂの一端と接続される。暖房戻り管１４ｂと外部暖房戻り管１６ｂと銅継手１３０ｆとは、ロウ付けによって固定される。外部暖房戻り管１６ｂは、各部屋へ接続される配管である。
【００３２】
暖房往き管１４ａ及び暖房戻り管１４ｂは、本体側配管の一例である。暖房往き管１４ａ及び暖房戻り管１４ｂは、暖房管路１４を構成する。暖房管路１４は、一部が筐体１の外部へ出ている管路である。外部暖房往き管１６ａ及び外部暖房戻り管１６ｂは、外部配管の一例である。銅継手１３０ｅ及び銅継手１３０ｆは、本体側配管と外部配管とを接続する配管接続部の一例である。
【００３３】
貯湯式給湯機１００は、沸き上げ動作を行う機能を有する。沸き上げ動作とは、加熱用循環管路１１を介して、貯湯タンク２内の水をヒートポンプユニット１１０によって沸き上げて貯留する動作である。
【００３４】
沸き上げ動作において三方弁９は、ａポートとｂポートとを連通させる。これにより、戻り管１１ｂと沸き上げ戻り管１２とが連通する。また沸き上げ動作において往き管１１ａは、沸き上げ往き管１０と連通する。
【００３５】
沸き上げ動作を行う場合、送水ポンプ８によって、水導出口２ｄから水が取り出される。取り出された水は沸き上げ往き管１０、往き管１１ａ及び外部往き管１３ａを介してヒートポンプユニット１１０へ供給される。ヒートポンプユニット１１０は供給された水を沸き上げる。沸き上げられた水は、外部戻り管１３ｂ、戻り管１１ｂ、三方弁９及び沸き上げ戻り管１２を介して、温水導入口２ｂへ供給される。
【００３６】
また貯湯式給湯機１００は、暖房動作を行う機能を有する。暖房動作とは、加熱用循環管路１１及び暖房管路１４を介して、各部屋へ高温の水を供給する動作である。暖房動作において貯湯タンク２内の水は使用されない。
【００３７】
暖房動作において三方弁９は、ａポートとｃポートとを連通させる。これにより、戻り管１１ｂと暖房往き管１４ａとが連通する。また沸き上げ動作において往き管１１ａは、暖房戻り管１４ｂと連通する。
【００３８】
暖房動作を行う場合、送水ポンプ８によって、外部暖房戻り管１６ｂを介して各部屋から水が取り出される。取り出された水は、暖房戻り管１４ｂ、ストレーナー１５、往き管１１ａ及び外部往き管１３ａを介してヒートポンプユニット１１０へ供給される。ヒートポンプユニット１１０は、供給された水を加熱する。加熱された水は、外部戻り管１３ｂ、戻り管１１ｂ、三方弁９、暖房往き管１４ａ及び外部暖房往き管１６ａを介して各部屋へ供給される。各部屋へ供給された水は、例えば暖房器具を介して、各部屋を温める。
【００３９】
本実施の形態において送水ポンプ８は、沸き上げ動作と暖房動作との両方で使用される循環ポンプとして機能する。
【００４０】
また貯湯式給湯機１００は、放熱板１４０を備える。放熱板１４０は、放熱効果の高い材料によって製造される。放熱板１４０は、例えば図１に示すように、給湯管路６、加熱用循環管路１１及び暖房管路１４に、筐体１の外部で固定される。
【００４１】
図２は、放熱板１４０単体の外観を示す斜視図である。放熱板１４０は、板状の部材である。放熱板１４０は、図２に示すように、平板部１４１を有する。また放熱板１４０は、例えば配管固定部１４２を有する。配管固定部１４２は、平板部１４１に比べて板厚が厚く形成される部位である。本実施の形態に示す例では、放熱板１４０は、６つの配管固定部１４２を有する。なお配管固定部１４２の数は、放熱板１４０が固定される配管の数等に合わせて、任意の数としてよい。
【００４２】
配管固定部１４２は、例えば円筒部１４２ａと円錐台部１４２ｂとを有する。円錐台部１４２ｂは、円筒部１４２ａの上面に形成される。円錐台部１４２ｂには、放熱平面部１４２ｃが上面に形成される。また配管固定部１４２には、例えば配管固定孔１４２ｄが形成される。配管固定孔１４２ｄは、放熱板１４０を上下方向に貫通している。
【００４３】
また放熱板１４０は、側壁部１４３を有するドレンパン状の部材である。側壁部１４３は、例えば平板部１４１の外周に形成される。ドレンパン状の放熱板１４０上には、貯留空間１４４が形成される。貯留空間１４４は、側壁部１４３に囲まれることによって形成される空間である。貯留空間１４４には、例えば水等の液体が貯留される。
【００４４】
放熱板１４０の底面側には、一例として延出部１４５が形成される。延出部１４５は、放熱板１４０の中で最も低い位置となるように形成される。延出部１４５には、底面に排出口１４６が設けられる。排出口１４６は、貯留空間１４４に貯留された液体を排出するために設けられる。
【００４５】
側壁部１４３は、例えば視認部１４７を有する。視認部１４７は、例えば透明な窓状の部位である。視認部１４７は、使用者が側壁部１４３の外方から貯留空間１４４に貯留された液体を視認するために設けられる。なお上記した放熱板１４０の形状は一例である。放熱板１４０の形状は、上記例以外のものとしてもよい。
【００４６】
図３は、配管接続部及び外部配管を接続する前の状態の貯湯式給湯機１００における放熱板１４０近傍の外観を示す斜視図である。放熱板１４０は、例えば配管固定孔１４２ｄに本体側配管が圧入されることによって固定される。圧入は、伝熱性及びシール性を備えた固定方法の一例である。
【００４７】
図３における給水管６ａ、給湯管６ｂ、往き管１１ａ、戻り管１１ｂ、暖房往き管１４ａ及び暖房戻り管１４ｂの上端の形状は、素管を切断した状態の形状である。給水管６ａ、給湯管６ｂ、往き管１１ａ、戻り管１１ｂ、暖房往き管１４ａ及び暖房戻り管１４ｂの上端には、配管接続部を介して外部配管が接続される。
【００４８】
図４は、配管接続部及び外部配管を接続した後の状態の貯湯式給湯機１００における放熱板１４０近傍の外観を示す斜視図である。また図５は、配管接続部及び外部配管を接続した後の状態の貯湯式給湯機１００における放熱板１４０近傍の側面図である。
【００４９】
図４及び図５に示すように、放熱板１４０は、筐体１と配管接続部との間で、本体側配管に固定される。放熱板１４０は、図５に示すように、筐体１から一定距離だけ離れている。また一例として放熱板１４０は、図５に示すように、上面及び下面が筐体１の上面と平行になるように固定される。
【００５０】
本体側配管と配管接続部と外部配管とは、ロウ付けによって固定される。ロウ付けによる固定を行う際には、熱が生じる。生じた熱の多くは、本体側配管を介して放熱板１４０に伝わる。放熱板は、熱を大気へ放出する。これにより、ロウ付けによって貯湯タンクユニット１２０へ伝わる熱の量が軽減される。本実施の形態であれば、多量の熱が本体側配管を介して貯湯タンクユニット１２０へ伝わることが防止される。
【００５１】
また放熱板１４０は、筐体１から一定距離だけ離れている。このため、放熱板１４０によって放熱された熱は、筐体１に直接伝わらない。これにより、本例であれば、貯湯タンクユニット１２０への熱の影響が効果的に軽減される。
【００５２】
貯湯式給湯機１００を構成する配管のうち、例えば筐体１の内部にあるものには保温筒が設けられる。本実施の形態であれば、ロウ付けによって多量の熱が保温筒に伝わることが防止される。これにより、保温筒の変形が防止される。
【００５３】
本実施の形態の貯湯式給湯機１００は、本体側配管として、給水管６ａ、給湯管６ｂ、往き管１１ａ、戻り管１１ｂ、暖房往き管１４ａ及び暖房戻り管１４ｂを備える。放熱板１４０は、すべての本体側配管に固定されている。本実施の形態であれば、一枚の放熱板１４０を設置する簡易な作業によって、すべての本体側配管の位置を固定することができる。
【００５４】
また本実施の形態の貯湯タンクユニット１２０は、筐体１の上面以外から外部に突き出る配管を備えていない。本実施の形態であれば、一枚の放熱板１４０によって、筐体１から外部に突き出る配管すべての位置を固定することができる。
【００５５】
放熱板１４０は、一例として平板部１４１と配管固定部１４２とを有する。配管固定部１４２は、配管固定孔１４２ｄを有する。放熱板１４０は、例えば上述のように配管固定孔１４２ｄに本体側配管が圧入されることによって固定される。本体側配管は、配管固定部１４２に固定される。本体側配管と配管固定部１４２とは接触する。
【００５６】
配管固定部１４２は、平板部１４１に比べて板厚が厚い。本例であれば、放熱板１４０を単純な平板状とした場合に比べて、本体側配管と放熱板１４０とが接する面積が向上する。本体側配管と放熱板１４０とは十分に接触する。これにより、ロウ付けによる熱は、本体側配管を介してより十分に放熱板１４０に伝わる。放熱板１４０へ伝えられた熱は、例えば平板部１４１及び放熱平面部１４２ｃから放熱される。本例の放熱板１４０は、ロウ付けによる熱のうちの多くの熱を放熱することができる。これにより、ロウ付けによって貯湯タンクユニット１２０へ伝わる熱の量がより軽減される。
【００５７】
また放熱板１４０は、上述のように側壁部１４３を有するドレンパン状の部材である。例えば本体側配管と配管接続部と外部配管とのロウ付けが不十分な場合、配管接続部で漏水が発生する可能性がある。本例であれば、配管接続部で生じた漏水は、貯留空間１４４に貯留される。これにより、漏水が貯湯タンクユニット１２０へかかることが防止される。
【００５８】
またドレンパン状の放熱板１４０には、例えば延出部１４５が形成されてもよい。延出部１４５には、排出口１４６が設けられる。排出口１４６は、図５に示すように、鉛直方向上方から見た際に貯湯タンクユニット１２０の外方となる位置に配置される。本例において排出口１４６は、貯留空間１４４に貯留された液体を貯湯タンクユニット１２０にかからないように排出することができる。
【００５９】
上記例において延出部１４５及び排出口１４６は、貯留空間１４４に貯留された液体を貯湯タンクユニット１２０の外部へ排出する排出手段の一例である。排出手段は、貯留空間１４４に貯留された液体を貯湯タンクユニット１２０にかからないように排出することができれば、上記例以外の構成としてもよい。例えば延出部１４５は、鉛直方向上方から見た際に、全体が貯湯タンクユニット１２０の外方となる位置に配置されてもよい。
【００６０】
また側壁部１４３は、上記実施例のように視認部１４７を有してもよい。これにより使用者は、貯留空間１４４に貯留された液体を、側壁部１４３の外方から視認することができる。
【００６１】
本発明の給湯機は、筐体１と配管接続部との間で本体側配管に固定される放熱板１４０を備える。放熱板１４０は、筐体１から一定距離だけ離れている。また放熱板１４０は、側壁部１４３を有する。放熱板１４０は、側壁部１４３に囲まれた貯留空間１４４に液体を貯留することができる。
【００６２】
上記構成を採用することにより、本発明であれば、ロウ付けによって本体部へ伝わる熱の量を効果的に軽減することができる。これにより、本体部を構成する部品への、ロウ付けによる熱の影響が軽減される。また本発明であれば、放熱板１４０の上方で生じた漏水等の液体が本体部へかかることを防ぐことができる。
【００６３】
ロウ付けは、加熱されたロウが本体側配管と配管接続部と外部配管との隙間に入りこむことによって行われる。ロウは、表面張力によって隙間に入り込む。ロウ付けの際、例えば入熱量が不足あるいは過剰な場合、ロウが重力によって下方へ垂れる可能性がある。本発明であれば、放熱板１４０が垂れたロウを受けることができる。これにより、本体部へロウが垂れることが防止される。
【００６４】
なお本発明の給湯機は、上記実施の形態の貯湯式給湯機１００に限定されるものではない。例えば放熱板１４０は、本体側配管のうちの一部に固定されてもよい。また本発明の給湯機は、筐体１の側面から外部に突き出る配管を備えてもよい。また本発明は、複数の貯湯タンク２が直列接続される給湯機に適用してもよい。また本発明は、ヒートポンプユニット１１０以外の熱源機を備える給湯機に適用してもよい。ヒートポンプユニット１１０以外の熱源機は、例えば電熱式ヒータである。
【符号の説明】
【００６５】
１  筐体、  ２  貯湯タンク、  ２ａ  温水導出口、  ２ｂ  温水導入口、  ２ｃ  水導入口、  ２ｄ  水導出口、  ３  給湯用熱交換器、  ４  給湯加熱用ポンプ、  ５  貯湯タンク連結管、  ５ａ  熱交換水往き管、  ５ｂ  熱交換水戻り管、  ６  給湯管路、  ６ａ  給水管、  ６ｂ  給湯管、  ７ａ  給水外部配管、  ７ｂ  給湯外部配管、  ８  送水ポンプ、  ９  三方弁、  １０  沸き上げ往き管、  １１  加熱用循環管路、  １１ａ  往き管、  １１ｂ  戻り管、  １２  沸き上げ戻り管、  １３ａ  外部往き管、  １３ｂ  外部戻り管、  １４  暖房管路、  １４ａ  暖房往き管、  １４ｂ  暖房戻り管、  １５  ストレーナー、  １６ａ  外部暖房往き管、  １６ｂ  外部暖房戻り管、  １００  貯湯式給湯機、  １１０  ヒートポンプユニット、  １２０  貯湯タンクユニット、  １３０ａ  銅継手、  １３０ｂ  銅継手、  １３０ｃ  銅継手、  １３０ｄ  銅継手、  １３０ｅ  銅継手、  １３０ｆ  銅継手、  １４０  放熱板、  １４１  平板部、  １４２  配管固定部、  １４２ａ  円筒部、  １４２ｂ  円錐台部、  １４２ｃ  放熱平面部、  １４２ｄ  配管固定孔、  １４３  側壁部、  １４４  貯留空間、  １４５  延出部、  １４６  排出口、  １４７  視認部
【図１】
2017015338.tif 000003
【図２】
2017015338.tif 000004
【図３】
2017015338.tif 000005
【図４】
2017015338.tif 000006
【図５】
2017015338.tif 000007